(57)【要約】【課題】消耗品の寿命到来を適切に判断することのできる画像形成装置および画像形成装置の制御プログラムを提供する。【解決手段】画像形成装置は、画像形成装置の本体に対して交換可能に設置された特定の機能を有する消耗品であって、複数の種類が存在する消耗品と、エンジン制御部１１５とを備える。エンジン制御部１１５は、複数の寿命判断方法のうちいずれかを用いて消耗品の寿命到来を判断する。エンジン制御部１１５は、消耗品の種類に応じて、用いる寿命判断方法を選択する。【選択図】図２
2018155979.tif 000002
【特許請求の範囲】
【請求項１】
画像形成装置であって、
前記画像形成装置の本体に対して交換可能に設置された特定の機能を有する消耗品であって、複数の種類が存在する消耗品と、
複数の寿命判断方法のうちいずれかを用いて前記消耗品の寿命到来を判断する判断手段と、
前記消耗品の種類に応じて、前記判断手段にて用いる寿命判断方法を選択する選択手段とを備えた、画像形成装置。
【請求項２】
前記判断手段は、
前記消耗品の動作回数または動作時間を指標する値に基づいて、前記消耗品の寿命到来を検知する回数検知手段と、
前記消耗品に関する実測値に基づいて、前記消耗品の寿命到来を検知する実測値検知手段と、
前記回数検知手段および前記実測値検知手段のうち少なくともいずれか一方による検知結果に基づいて、前記消耗品の寿命到来を判断する寿命到来判断手段とを含む、請求項１に記載の画像形成装置。
【請求項３】
前記回数検知手段は、前記消耗品の動作回数または動作時間を指標する値が所定の値に達した場合に、前記消耗品の寿命到来を検知し、
前記実測値検知手段は、前記消耗品に関する実測値が第１の範囲から外れた場合に、前記消耗品の寿命到来を検知する、請求項２に記載の画像形成装置。
【請求項４】
前記消耗品は、前記消耗品の製造履歴を記憶する不揮発記憶装置を含み、
前記消耗品の種類は、前記消耗品の製造履歴に基づいて特定される、請求項３に記載の画像形成装置。
【請求項５】
前記選択手段は、前記消耗品の種類が模造品である場合には、前記実測値検知手段および前記回数検知手段による寿命到来の検知を並行して行う並行した寿命判断方法を選択し、
前記模造品とは、前記画像形成装置の製造者から品質の認定を受けていない前記消耗品の種類であり、
前記寿命到来判断手段は、前記選択手段にて前記並行した寿命判断方法を選択した場合において、前記回数検知手段および前記実測値検知手段のうち少なくともいずれか一方にて寿命到来を検知したときは、前記消耗品の寿命が到来したと判断する、請求項３または４に記載の画像形成装置。
【請求項６】
前記選択手段は、前記消耗品の種類が新品の純正品である場合には、前記回数検知手段による寿命到来の検知を行い、かつ前記回数検知手段にて寿命到来を検知した後で前記実測値検知手段による寿命到来の検知を行う延長した寿命判断方法を選択し、
前記新品の純正品とは、前記画像形成装置の製造者から品質の認定を受けた未使用の前記消耗品の種類であり、
前記寿命到来判断手段は、前記選択手段にて前記延長した寿命判断方法を選択した場合において、前記実測値判断手段にて寿命到来を検知したときは、前記消耗品の寿命が到来したと判断し、
前記選択手段は、前記消耗品の種類がリユース品である場合には、前記回数検知手段による寿命到来の検知を行う回数のみによる寿命判断方法を選択し、
前記リユース品とは、前記画像形成装置の製造者から品質の認定を受けた前記消耗品であって、消耗した部分を交換することで再利用可能とした消耗品の種類であり、
前記寿命到来判断手段は、前記選択手段にて前記回数のみによる寿命判断方法を選択した場合において、前記回数判断手段にて寿命到来を検知したときは、前記消耗品の寿命が到来したと判断する、請求項３〜５のいずれかに記載の画像形成装置。
【請求項７】
前記消耗品として、複数色の現像ユニットと感光体ユニットとの組を備え、
ある色の前記現像ユニットと前記感光体ユニットとの組における一方の前記消耗品の種類が前記純正品であり、前記組における他方の前記消耗品の種類が前記純正品でないときは、前記選択手段は、前記組における一方の前記消耗品の寿命判断方法として、前記回数のみによる寿命判断方法を選択する、請求項６に記載の画像形成装置。
【請求項８】
前記選択手段は、前記延長した寿命判断方法を選択した場合において、前記回数検知手段による寿命到来の検知中に、前記消耗品の動作回数または動作時間を指標する値が使用不能となったときは、前記回数検知手段による検知結果に関わらずに前記実測値検知手段による寿命到来の検知を開始し、
前記寿命到来判断手段は、前記回数検知手段による検知結果に関わらずに前記実測値検知手段による寿命到来の検知を開始した場合において、前記実測値判断手段にて寿命到来を検知したときは、前記消耗品の寿命が到来したと判断する、請求項６または７に記載の画像形成装置。
【請求項９】
前記消耗品は、前記消耗品の動作回数または動作時間を指標する値を記憶する不揮発記憶装置を含み、
前記消耗品の種類は、前記不揮発記憶装置に記憶された前記消耗品の動作回数または動作時間を指標する値を不正に変更したリセット品であるか否かである、請求項３に記載の画像形成装置。
【請求項１０】
前記選択手段は、前記消耗品の種類が前記リセット品である場合には、前記回数検知手段および前記実測値検知手段による寿命到来の検知を並行して行う並行した寿命判断方法を選択し、
前記寿命到来判断手段は、前記選択手段にて前記並行した寿命判断方法を選択した場合において、前記回数検知手段および前記実測値検知手段のうち少なくともいずれか一方にて寿命到来を検知したときは、前記消耗品の寿命が到来したと判断する、請求項９に記載の画像形成装置。
【請求項１１】
所定のタイミングで前記消耗品に関する実測値を測定する測定手段と、
前記消耗品を交換する前に前記測定手段にて測定した前記消耗品に関する実測値と、前記消耗品を交換した後で前記測定手段にて測定した前記消耗品に関する実測値との差が第２の範囲内である場合に、前記消耗品の種類が前記リセット品であると判断するリセット品判断手段をさらに備えた、請求項９または１０に記載の画像形成装置。
【請求項１２】
前記消耗品の種類は、中古品であるか否かであり、
前記中古品とは、前記画像形成装置の製造者から品質の認定を受けた新品ではない前記消耗品であって、未だ寿命が到来していない消耗品の種類である、請求項３に記載の画像形成装置。
【請求項１３】
前記選択手段は、前記消耗品の種類が前記中古品である場合には、前記実測値検知手段による寿命到来の検知を行う実測値のみによる寿命判断方法を選択し、
前記寿命到来判断手段は、前記選択手段にて前記実測値のみによる寿命判断方法を選択した場合において、前記実測値判断手段にて寿命到来を検知したときは、前記消耗品の寿命が到来したと判断する、請求項１２に記載の画像形成装置。
【請求項１４】
前記画像形成装置の本体への前記消耗品の設置を検知する設置検知手段と、
前記設置検知手段にて設置を検知した前記消耗品が前記中古品であるか否かを判断する中古品判断手段とをさらに備えた、請求項１２または１３に記載の画像形成装置。
【請求項１５】
前記消耗品の種類は、前記消耗品に記憶された寿命判断方法を指標する情報である、請求項３に記載の画像形成装置。
【請求項１６】
前記選択手段は、前記消耗品に記憶された寿命判断方法を指標する情報が、第１の情報である場合には、前記回数検知手段による寿命到来の検知を行い、かつ前記回数検知手段にて寿命到来を検知した後で前記実測値検知手段による寿命到来の検知を行う延長した寿命判断方法を選択し、
前記寿命到来判断手段は、前記選択手段にて前記延長した寿命判断方法を選択した場合において、前記実測値判断手段にて寿命到来を検知したときは、前記消耗品の寿命が到来したと判断し、
前記選択手段は、前記消耗品に記憶された寿命判断方法を指標する情報が前記第１の情報とは異なる第２の情報である場合には、前記回数検知手段による寿命到来の検知を行う回数のみによる寿命判断方法を選択し、
前記寿命到来判断手段は、前記選択手段にて前記回数のみによる寿命判断方法を選択した場合において、前記回数判断手段にて寿命到来を検知したときは、前記消耗品の寿命が到来したと判断する、請求項１５に記載の画像形成装置。
【請求項１７】
前記選択手段は、前記消耗品に記憶された寿命判断方法を指標する情報が、前記第１および第２の情報とは異なる第３の情報である場合には、前記回数検知手段および前記実測値検知手段による寿命到来の検知を並行して行う並行した寿命判断方法を選択し、
前記寿命到来判断手段は、前記選択手段にて前記並行した寿命判断方法を選択した場合において、前記回数検知手段および前記実測値検知手段のうち少なくともいずれか一方にて寿命到来を検知したときは、前記消耗品の寿命が到来したと判断し、
前記消耗品に記憶された寿命検出方法を指標する情報は、前記第１の情報から前記第３の情報への書き換え、および前記第２の情報から前記第３の情報への書き換えのみが可能である、請求項１６に記載の画像形成装置。
【請求項１８】
前記消耗品に関する実測値は、前記消耗品の物性値、および前記消耗品を用いて形成した画像の濃度のうち少なくともいずれか一方である、請求項２〜１７のいずれかに記載の画像形成装置。
【請求項１９】
画像形成装置の制御プログラムであって、
前記画像形成装置は、前記画像形成装置の本体に対して交換可能に設置された特定の機能を有する消耗品であって、複数の種類が存在する消耗品を備え、
前記制御プログラムは、
複数の寿命判断方法のうちいずれかを用いて前記消耗品の寿命到来を判断する判断ステップと、
前記消耗品の種類に応じて、前記判断ステップにて用いる寿命判断方法を選択する選択ステップとをコンピューターに実行させる、画像形成装置の制御プログラム。
【発明の詳細な説明】
【技術分野】
【０００１】
本発明は、画像形成装置および画像形成装置の制御プログラムに関する。より特定的には、本発明は、画像形成装置の本体に対して交換可能に設置された特定の機能を有する消耗品であって、複数の種類が存在する消耗品を備えた画像形成装置および画像形成装置の制御プログラムに関する。
【背景技術】
【０００２】
電子写真式の画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
画像形成装置は一般に、感光体上に形成した静電潜像を、現像器を用いて現像してトナー像を形成し、このトナー像を用紙へ転写した後、定着器によってトナー像を用紙に定着させることにより、用紙に画像を形成する。また、画像形成装置の中には、感光体の表面の静電潜像を、現像器を用いて現像してトナー像を形成し、一次転写ローラーを用いてトナー像を中間転写ベルトに転写し、二次転写ローラーを用いて中間転写ベルト上のトナー像を用紙へ二次転写するものも存在する。この場合、感光体および中間転写ベルトが像担持体となる。現像器において現像に用いられなかったトナーや、転写されずに感光体上または中間転写ベルト上に残ったトナーは、廃トナーとして回収容器に回収される。
【０００４】
従来の中高速機のＭＦＰには、通常、現像ユニット（ＤＶ）および感光体ユニット（ＤＲ）が、それぞれ独立した消耗品ユニットとして搭載されている。ＭＦＰは、消耗品ユニットを用いて印刷した用紙の枚数（印刷枚数）を示すカウンターの値に基づいて消耗品ユニットの劣化の度合いを判断する。ＭＦＰは、カウンターの値が消耗品ユニットに設定された閾値を超えた場合にその消耗品ユニットの寿命が到来したと判断し、その消耗品ユニットの寿命到来をＭＦＰの表示部に表示する。これにより、ＭＦＰは消耗品ユニットの交換をユーザーに促す。
【０００５】
しかし、上述のカウンターによる寿命判断方法では、製造者が画像品質を保証することのできる最小の印刷枚数が閾値として設定されるため、消耗品がまだ使用可能な状態であるにもかかわらず、寿命が到来したと判断される場合が多かった。一例として、現像ユニットの閾値は、感光体ユニットの寿命到来が近づいて感光体の帯電能力が低下した状態でもかぶりトナーなどでの画像汚れが発生しない値に設定される場合が多い。このため、実際の現像ユニットの寿命は、現像ユニット自体の現像材の状態だけでなく感光体ユニットの状態にも依存する。しかし、従来は現像ユニットのカウンターの値のみで寿命到来が判断されていた。このため、感光体ユニットの状態が良好である場合には、現像ユニットがまだ使用可能な状態であるにもかかわらず、交換される事態となっていた。
【０００６】
また、同じ機能を発揮する消耗品（たとえば感光体ユニット）の中にも様々な種類のものがある。具体的には、新品の純正品である消耗品と、新品の純正品とは異なる種類の消耗品とがある。新品の純正品とは異なる種類の消耗品とは、たとえば模造品（非純正品）、リユース品（純正品の再生品）、リセット品（純正品のカウンターを不正にリセットしたもの）、中古品（新品ではないが寿命到来前の純正品）などである。
【０００７】
一般的に、新品の純正品とは異なる種類の消耗品の性能は、新品の純正品である消耗品の性能よりも劣っている。このため、上述のカウンターの値による寿命判断方法では、新品の純正品とは異なる種類の消耗品が使用された場合に、カウンターの値が消耗品ユニットに設定された閾値を超える前に消耗品の性能が低下し、画像に悪影響を及ぼすことがあった。
【０００８】
そこで、消耗品の寿命到来をより正確に判断するために、上述のカウンターの値による寿命判断方法の代わりに、所定のタイミングで計測した消耗品の実測値（たとえば消耗品の物性値や、消耗品を用いて形成した画像の濃度など）に基づいて消耗品の寿命到来を判断する方法（実測値による寿命判断方法）も考えられる。
【０００９】
なお、従来の画像形成装置における消耗品の寿命判断方法は、たとえば下記特許文献１〜４などに開示されている。下記特許文献１には、画像を担持する像担持体と像担持体を帯電する帯電手段とを有し、像担持体と帯電手段との各々を交換可能な画像形成装置が開示されている。この画像形成装置は、帯電手段に対して電圧を印加する電圧印加手段と、電圧印加手段が印加した際に像担持体に流れる電流を検知する電流検知手段と、電流検知手段による検知電流に基づいて、像担持体又は帯電手段の交換の有無を判断する制御手段とを備えている。
【００１０】
下記特許文献２には、感光体ドラムに形成されるトナー像を転写することにより画像を形成する画像形成装置が開示されている。この画像形成装置は、感光体ドラムの寿命を算出し、感光体ドラムの寿命を検知する寿命カウンターと、感光体ドラムに当接する当接部材の装着の有無を検知する当接部材検知手段とを備え、当接部材検知手段の検知結果に基づき、感光体ドラムの寿命の算出方法を変更する。
【００１１】
下記特許文献３には、画像形成装置の本体フレームに着脱可能に装着された現像器を備えた画像形成装置が開示されている。この画像形成装置では、現像器のトナーケースにＩＣ（Ｉｎｔｅｇｒａｔｅｄ  Ｃｉｒｃｕｉｔ）チップが取り付けられており、ＩＣチップに現像器が正規品であることを識別するための識別コードが記憶されている。画像形成装置の制御部は、記憶された識別コードを読み込んで、正規品であるか否か判定し、正規品と判定された場合には、画像記録した用紙の累積枚数のデータなどの使用実績情報を更新処理し、正規品でないと判定された場合には、こうした更新処理を行わない。
【００１２】
下記特許文献４には、純正品でないプロセスカートリッジであることを認識した場合において試用期間を設定し、純正品でないプロセスカートリッジであっても期間の限定付きながら使用を可能とした画像形成装置が開示されている。
【先行技術文献】
【特許文献】
【００１３】
【特許文献１】特開２０１６−７１０４３号公報
【特許文献２】特開２０１６−５７４２０号公報
【特許文献３】特開２００８−１５８１１５号公報
【特許文献４】特開２００５−１９５９００号公報
【発明の概要】
【発明が解決しようとする課題】
【００１４】
しかし、実測値による寿命判断方法のみによって消耗品の寿命到来を判断しようとすると、消耗品の実測値を計測するために時間を要し、画像形成装置の動作の遅延を招くという問題があった。
【００１５】
本発明は、上記課題を解決するためのものであり、その目的は、消耗品の寿命到来を適切に判断することのできる画像形成装置および画像形成装置の制御プログラムを提供することである。
【課題を解決するための手段】
【００１６】
本発明の一の局面に従う画像形成装置は、画像形成装置の本体に対して交換可能に設置された特定の機能を有する消耗品であって、複数の種類が存在する消耗品と、複数の寿命判断方法のうちいずれかを用いて消耗品の寿命到来を判断する判断手段と、消耗品の種類に応じて、判断手段にて用いる寿命判断方法を選択する選択手段とを備える。
【００１７】
上記画像形成装置において好ましくは、判断手段は、消耗品の動作回数または動作時間を指標する値に基づいて、消耗品の寿命到来を検知する回数検知手段と、消耗品に関する実測値に基づいて、消耗品の寿命到来を検知する実測値検知手段と、回数検知手段および実測値検知手段のうち少なくともいずれか一方による検知結果に基づいて、消耗品の寿命到来を判断する寿命到来判断手段とを含む。
【００１８】
上記画像形成装置において好ましくは、回数検知手段は、消耗品の動作回数または動作時間を指標する値が所定の値に達した場合に、消耗品の寿命到来を検知し、実測値検知手段は、消耗品に関する実測値が第１の範囲から外れた場合に、消耗品の寿命到来を検知する。
【００１９】
上記画像形成装置において好ましくは、消耗品は、消耗品の製造履歴を記憶する不揮発記憶装置を含み、消耗品の種類は、消耗品の製造履歴に基づいて特定される。
【００２０】
上記画像形成装置において好ましくは、選択手段は、消耗品の種類が模造品である場合には、実測値検知手段および回数検知手段による寿命到来の検知を並行して行う並行した寿命判断方法を選択し、模造品とは、画像形成装置の製造者から品質の認定を受けていない消耗品の種類であり、寿命到来判断手段は、選択手段にて並行した寿命判断方法を選択した場合において、回数検知手段および実測値検知手段のうち少なくともいずれか一方にて寿命到来を検知したときは、消耗品の寿命が到来したと判断する。
【００２１】
上記画像形成装置において好ましくは、選択手段は、消耗品の種類が新品の純正品である場合には、回数検知手段による寿命到来の検知を行い、かつ回数検知手段にて寿命到来を検知した後で実測値検知手段による寿命到来の検知を行う延長した寿命判断方法を選択し、新品の純正品とは、画像形成装置の製造者から品質の認定を受けた未使用の消耗品の種類であり、寿命到来判断手段は、選択手段にて延長した寿命判断方法を選択した場合において、実測値判断手段にて寿命到来を検知したときは、消耗品の寿命が到来したと判断し、選択手段は、消耗品の種類がリユース品である場合には、回数検知手段による寿命到来の検知を行う回数のみによる寿命判断方法を選択し、リユース品とは、画像形成装置の製造者から品質の認定を受けた消耗品であって、消耗した部分を交換することで再利用可能とした消耗品の種類であり、寿命到来判断手段は、選択手段にて回数のみによる寿命判断方法を選択した場合において、回数判断手段にて寿命到来を検知したときは、消耗品の寿命が到来したと判断する。
【００２２】
上記画像形成装置において好ましくは、消耗品として、複数色の現像ユニットと感光体ユニットとの組を備え、ある色の現像ユニットと感光体ユニットとの組における一方の消耗品の種類が純正品であり、組における他方の消耗品の種類が純正品でないときは、選択手段は、組における一方の消耗品の寿命判断方法として、回数のみによる寿命判断方法を選択する。
【００２３】
上記画像形成装置において好ましくは、選択手段は、延長した寿命判断方法を選択した場合において、回数検知手段による寿命到来の検知中に、消耗品の動作回数または動作時間を指標する値が使用不能となったときは、回数検知手段による検知結果に関わらずに実測値検知手段による寿命到来の検知を開始し、寿命到来判断手段は、回数検知手段による検知結果に関わらずに実測値検知手段による寿命到来の検知を開始した場合において、実測値判断手段にて寿命到来を検知したときは、消耗品の寿命が到来したと判断する。
【００２４】
上記画像形成装置において好ましくは、消耗品は、消耗品の動作回数または動作時間を指標する値を記憶する不揮発記憶装置を含み、消耗品の種類は、不揮発記憶装置に記憶された消耗品の動作回数または動作時間を指標する値を不正に変更したリセット品であるか否かである。
【００２５】
上記画像形成装置において好ましくは、選択手段は、消耗品の種類がリセット品である場合には、回数検知手段および実測値検知手段による寿命到来の検知を並行して行う並行した寿命判断方法を選択し、寿命到来判断手段は、選択手段にて並行した寿命判断方法を選択した場合において、回数検知手段および実測値検知手段のうち少なくともいずれか一方にて寿命到来を検知したときは、消耗品の寿命が到来したと判断する。
【００２６】
上記画像形成装置において好ましくは、所定のタイミングで消耗品に関する実測値を測定する測定手段と、消耗品を交換する前に測定手段にて測定した消耗品に関する実測値と、消耗品を交換した後で測定手段にて測定した消耗品に関する実測値との差が第２の範囲内である場合に、消耗品の種類がリセット品であると判断するリセット品判断手段をさらに備える。
【００２７】
上記画像形成装置において好ましくは、消耗品の種類は、中古品であるか否かであり、中古品とは、画像形成装置の製造者から品質の認定を受けた新品ではない消耗品であって、未だ寿命が到来していない消耗品の種類である。
【００２８】
上記画像形成装置において好ましくは、選択手段は、消耗品の種類が中古品である場合には、実測値検知手段による寿命到来の検知を行う実測値のみによる寿命判断方法を選択し、寿命到来判断手段は、選択手段にて実測値のみによる寿命判断方法を選択した場合において、実測値判断手段にて寿命到来を検知したときは、消耗品の寿命が到来したと判断する。
【００２９】
上記画像形成装置において好ましくは、画像形成装置の本体への消耗品の設置を検知する設置検知手段と、設置検知手段にて設置を検知した消耗品が中古品であるか否かを判断する中古品判断手段とをさらに備える。
【００３０】
上記画像形成装置において好ましくは、消耗品の種類は、消耗品に記憶された寿命判断方法を指標する情報である。
【００３１】
上記画像形成装置において好ましくは、選択手段は、消耗品に記憶された寿命判断方法を指標する情報が、第１の情報である場合には、回数検知手段による寿命到来の検知を行い、かつ回数検知手段にて寿命到来を検知した後で実測値検知手段による寿命到来の検知を行う延長した寿命判断方法を選択し、寿命到来判断手段は、選択手段にて延長した寿命判断方法を選択した場合において、実測値判断手段にて寿命到来を検知したときは、消耗品の寿命が到来したと判断し、選択手段は、消耗品に記憶された寿命判断方法を指標する情報が第１の情報とは異なる第２の情報である場合には、回数検知手段による寿命到来の検知を行う回数のみによる寿命判断方法を選択し、寿命到来判断手段は、選択手段にて回数のみによる寿命判断方法を選択した場合において、回数判断手段にて寿命到来を検知したときは、消耗品の寿命が到来したと判断する。
【００３２】
上記画像形成装置において好ましくは、選択手段は、消耗品に記憶された寿命判断方法を指標する情報が、第１および第２の情報とは異なる第３の情報である場合には、回数検知手段および実測値検知手段による寿命到来の検知を並行して行う並行した寿命判断方法を選択し、寿命到来判断手段は、選択手段にて並行した寿命判断方法を選択した場合において、回数検知手段および実測値検知手段のうち少なくともいずれか一方にて寿命到来を検知したときは、消耗品の寿命が到来したと判断し、消耗品に記憶された寿命検出方法を指標する情報は、第１の情報から第３の情報への書き換え、および第２の情報から第３の情報への書き換えのみが可能である。
【００３３】
上記画像形成装置において好ましくは、消耗品に関する実測値は、消耗品の物性値、および消耗品を用いて形成した画像の濃度のうち少なくともいずれか一方である。
【００３４】
本発明の他の局面に従う画像形成装置の制御プログラムにおいて、画像形成装置は、画像形成装置の本体に対して交換可能に設置された特定の機能を有する消耗品であって、複数の種類が存在する消耗品を備え、制御プログラムは、複数の寿命判断方法のうちいずれかを用いて消耗品の寿命到来を判断する判断ステップと、消耗品の種類に応じて、判断ステップにて用いる寿命判断方法を選択する選択ステップとをコンピューターに実行させる。
【発明の効果】
【００３５】
本発明によれば、消耗品の寿命到来を適切に判断することのできる画像形成装置および画像形成装置の制御プログラムを提供することができる。
【図面の簡単な説明】
【００３６】
【図１】本発明の第１の実施の形態における画像形成装置１００の構成を示す断面図である。
【図２】本発明の第１の実施の形態における画像形成装置１００の制御構成を示すブロック図である。
【図３】本発明の第１の実施の形態における、消耗品の種類が新品の純正品である場合の寿命判断方法を説明する図である。
【図４】本発明の第１の実施の形態における、消耗品の種類が模造品である場合の寿命判断方法を説明する図である。
【図５】本発明の第１の実施の形態における不揮発メモリ１２２のアドレスマッピングを示す図である。
【図６】本発明の第１の実施の形態における、消耗品の種類がリセット品である場合の寿命判断方法を説明する図である。
【図７】本発明の第１の実施の形態において、エンジン制御部１１５が消耗品の寿命が到来したと判断した場合に操作パネル１２４に表示するメッセージを模式的に示す図である。
【図８】本発明の第１の実施の形態において、ユニット検知部１２６にて消耗品の交換を検知した場合の画像形成装置１００の動作を示すフローチャートである。
【図９】本発明の第２の実施の形態における、消耗品の種類がリユース品である場合の寿命判断方法を説明する図である。
【図１０】本発明の第２の実施の形態において、ユニット検知部１２６にて消耗品の交換を検知した場合の画像形成装置１００の動作を示すフローチャートである。
【図１１】本発明の第３の実施の形態における現像ユニットおよび消耗品ユニットの組と、採用する寿命判断方法との関係を示す図である。
【図１２】本発明の第４の実施の形態における、消耗品の種類が純正品であり、かつ消耗品のカウンター不良が発生した場合の寿命判断方法を説明する図である。
【図１３】本発明の第５の実施の形態における、消耗品の種類が中古品である場合の寿命判断方法を説明する図である。
【図１４】本発明の第５の実施の形態において、ユニット検知部１２６にて消耗品の交換を検知した場合の画像形成装置１００の動作を示すフローチャートである。
【図１５】本発明の第６の実施の形態における、消耗品の不揮発メモリ１２２に記憶された情報と、寿命判断方法との関係を示す図である。
【図１６】本発明の第６の実施の形態において、ユニット検知部１２６にて消耗品の交換を検知した場合の画像形成装置１００の動作を示すフローチャートの第１の部分である。
【図１７】本発明の第６の実施の形態において、ユニット検知部１２６にて消耗品の交換を検知した場合の画像形成装置１００の動作を示すフローチャートの第２の部分である。
【図１８】本発明の第７の実施の形態において、付着量制御で形成されるパターンを示す平面図である。
【図１９】本発明の第７の実施の形態において、付着量制御における現像バイアスと濃度との関係をプロットしたグラフである。
【図２０】本発明の第７の実施の形態において、現像ユニット３１についての実測値による検知方法を用いた寿命到来の検知を行う場合の、現像バイアスの許容範囲を示すグラフである。
【図２１】本発明の第７の実施の形態において、現像ユニット３１についての実測値による検知方法を用いた寿命到来の検知を行う場合の、現像バイアスの許容範囲の別の例を示すテーブルである。
【図２２】帯電電流と感光体の膜厚との関係を示すグラフである。
【図２３】本発明の第７の実施の形態において画像形成装置１００が実行する帯電Ｖｐｐ制御を示すフローチャートである。
【図２４】本発明の第７の実施の形態において画像形成装置１００が実行する、感光体ユニット３２についての実測値による検知方法を用いた寿命到来の検知方法を示すフローチャートである。
【発明を実施するための形態】
【００３７】
以下、本発明の一実施の形態について、図面に基づいて説明する。
【００３８】
本実施の形態では、画像形成装置がＭＦＰである場合について説明する。画像形成装置は、ＭＦＰの他、ファクシミリ装置、複写機、プリンターなどであってもよい。
【００３９】
［第１の実施の形態］
【００４０】
始めに、本実施の形態における画像形成装置の構成について説明する。
【００４１】
図１は、本発明の第１の実施の形態における画像形成装置１００の構成を示す断面図である。
【００４２】
図１を参照して、本実施の形態における画像形成装置１００は、ＭＦＰであり、用紙搬送部１０と、トナー像形成部３０と、定着装置４０とを主に備えている。
【００４３】
用紙搬送部１０は、給紙トレイ１１と、手差しトレイ１２と、給紙ローラー１３ａと、搬送ローラー１３ｂおよび１３ｃと、排紙ローラー１３ｄと、排紙トレイ１４とを含んでいる。給紙トレイ１１は、画像形成装置本体１００ａの下部に設けられており、画像を形成するための用紙Ｐを収容する。給紙トレイ１１は複数であってもよい。手差しトレイ１２は、画像形成装置本体１００ａの側面に設けられており、手差し用紙を配置するためのものである。給紙ローラー１３ａは、給紙トレイ１１および手差しトレイ１２と、搬送経路ＴＲとの間に設けられている。搬送ローラー１３ｂおよび１３ｃの各々は、搬送経路ＴＲに沿って設けられている。排紙ローラー１３ｄは、搬送経路ＴＲの最も下流の部分に設けられている。排紙トレイ１４は画像形成装置本体１００ａの最上部に設けられている。
【００４４】
トナー像形成部３０は、いわゆるタンデム方式でＹ（イエロー）、Ｍ（マゼンタ）、Ｃ（シアン）、およびＫ（ブラック）の４色の画像を合成し、用紙にトナー像を転写する。トナー像形成部３０は、ＹＭＣＫ各色の現像ユニット３１ａ、３１ｂ、３１ｃ、および３１ｄ（現像器の一例）と、ＹＭＣＫ各色の感光体ユニット３２ａ、３２ｂ、３２ｃ、および３２ｄと、ＹＭＣＫ各色の露光装置３３ａ、３３ｂ、３３ｃ、および３３ｄと、中間転写ベルト３４と、一次転写ローラー３５ａ、３５ｂ、３５ｃ、および３５ｄと、二次転写ローラー３６と、クリーニング装置３７と、ＹＭＣＫ各色のトナーボトル３８ａ、３８ｂ、３８ｃ、および３８ｄと、回転ローラー３９などを含んでいる。
【００４５】
本明細書において、現像ユニット３１ａ、３１ｂ、３１ｃ、および３１ｄをまとめて現像ユニット３１と記し、感光体ユニット３２ａ、３２ｂ、３２ｃ、および３２ｄをまとめて感光体ユニット３２と記し、露光装置３３ａ、３３ｂ、３３ｃ、３３ｄをまとめて露光装置３３と記すことがある。さらに、現像ユニット３１ａ、３１ｂ、３１ｃ、および３１ｄ、ならびに感光体ユニット３２ａ、３２ｂ、３２ｃ、および３２ｄの各々は、画像形成装置本体１００ａに対して交換可能に設置された特定の機能を有する消耗品であって、市場などに複数の種類が存在している消耗品である。以降、現像ユニット３１ａ、３１ｂ、３１ｃ、および３１ｄ、ならびに感光体ユニット３２ａ、３２ｂ、３２ｃ、および３２ｄをまとめて消耗品と記すことがある。
【００４６】
各色の現像ユニット３１および感光体ユニット３２は、各色のイメージングユニットを構成しており、中間転写ベルト３４の直下に並置されている。現像ユニット３１は、現像を行う機能を有するユニットである。感光体ユニット３２は像担持体の機能を有するユニットであり、帯電装置８２と、イレーサー部８４と、クリーニングブレード８５などをさらに含んでいる。
【００４７】
感光体８１は、光導電性を有しており、円筒状である。感光体８１は、図１中矢印ＡＲ１で示す方向に回転駆動される。感光体８１の周囲には、帯電装置８２、感光体８１にトナー像を現像する現像ユニット３１、イレーサー部８４、およびクリーニングブレード８５が配置されている。帯電装置８２は感光体８１を帯電させるためのものであり、帯電装置８２によって感光体８１の表面電位は所定の帯電電位とされる。現像ユニット３１は、感光体８１に形成された静電潜像を現像する。イレーサー部８４は、感光体８１を除電する。クリーニングブレード８５は、感光体８１上の廃トナーを除去する。
【００４８】
露光装置３３は、各色の現像ユニット３１および感光体ユニット３２の下部に設けられている。中間転写ベルト３４は、環状であり、回転ローラー３９に架け渡されている。中間転写ベルト３４は、図１中矢印ＡＲ２で示す方向に回転駆動される。一次転写ローラー３５ａ、３５ｂ、３５ｃ、および３５ｄの各々は、中間転写ベルト３４を挟んで各色の感光体ユニット３２における感光体８１の各々と対向している。二次転写ローラー３６は、搬送経路ＴＲにおいて中間転写ベルト３４と接触している。二次転写ローラー３６と中間転写ベルト３４との間隔は、図示しない圧接離間機構により調整可能である。クリーニング装置３７は、中間転写ベルト３４の付近に設けられている。
【００４９】
定着装置４０は、加熱ローラー４１と、加圧ローラー４２とを含んでいる。定着装置４０は、加熱ローラー４１と加圧ローラー４２とのニップ部により、トナー像を担持した用紙を把持しながら搬送経路ＴＲに沿って搬送することで、用紙にトナー像を定着させる。
【００５０】
画像形成装置１００がプリント要求またはスキャナー部１１４で読み取った原稿画像の複写要求を受け付けると、用紙搬送部１０は、給紙トレイ１１に収容された用紙Ｐまたは手差しトレイ１２上に配置された手差し用紙を、給紙ローラー１３ａにより搬送経路ＴＲに給紙する。用紙搬送部１０は、搬送ローラー１３ｂおよび１３ｃ（タイミングローラー）により用紙を搬送経路ＴＲに沿って搬送し、所定のタイミングで用紙を中間転写ベルト３４と二次転写ローラー３６との間に導く。
【００５１】
露光装置３３は、帯電装置８２により所定の帯電電位に帯電された感光体８１に対して、プリント要求または複写要求のあった画像情報に基づいた露光用ビームを照射する。感光体８１の表面の露光用ビームが照射された部分の表面電位は、感光体８１が有する光導電性により所定のレベルまで減少する。感光体８１の表面の表面電位が変化することにより、露光装置３３によって露光がなされた感光体８１の表面には静電潜像が形成される。現像ユニット３１は、感光体８１の表面に形成された静電潜像を現像する。
【００５２】
一次転写ローラー３５ａ、３５ｂ、３５ｃ、および３５ｄの各々は、各色の感光体ユニット３２の感光体８１に形成されたトナー像を、中間転写ベルト３４の表面に順次転写する（一次転写）。中間転写ベルト３４の表面には、各色のトナー像が合成されたトナー像が形成される。
【００５３】
イレーサー部８４は、一次転写後の感光体８１の表面を除電する。クリーニングブレード８５は、中間転写ベルト３４に転写されずに感光体８１に残留したトナーを除去する。
【００５４】
回転ローラー３９は中間転写ベルト３４を回転駆動する。これにより、中間転写ベルト３４の表面に形成されたトナー像は、二次転写ローラー３６と対向する位置まで搬送される。二次転写ローラー３６は、中間転写ベルト３４の表面に形成されたトナー像を、中間転写ベルト３４と二次転写ローラー３６との間に搬送されてきた用紙に転写する。
【００５５】
クリーニング装置３７は、用紙に転写されずに中間転写ベルト３４の表面に残留したトナーを除去し、回収する。
【００５６】
トナー像が転写された用紙は定着装置４０に導かれる。定着装置４０は、トナー像を用紙に定着する。その後用紙搬送部１０は、トナー像が定着された用紙を、排紙ローラー１３ｄにより排紙トレイ１４に排紙する。
【００５７】
画像形成により現像ユニット３１の内部のトナーが少なくなると、ＹＭＣＫのトナーボトル３８ａ、３８ｂ、３８ｃ、および３８ｄのうち適切な色のものの内部に保管されたトナーが、現像ユニット３１に供給される。トナーボトル３８ａ、３８ｂ、３８ｃ、および３８ｄのうちいずれかのトナーボトルの内部のトナーが無くなると、ユーザーはそのトナーボトルを交換する。これにより、画像形成装置１００に対してトナーが継続して供給される。
【００５８】
図２は、本発明の第１の実施の形態における画像形成装置１００の制御構成を示すブロック図である。
【００５９】
図２を参照して、画像形成装置１００は、エンジン制御部１１５と、濃度検出センサー１１６と、高圧部１１８と、感光体駆動部１１９と、転写ベルト離間部１２０と、ＭＦＰコントローラー１２１と、不揮発メモリ１２２（不揮発記憶装置の一例）と、環境センサー１２３と、操作パネル（表示操作部）１２４と、本体側不揮発メモリ１２５と、ユニット検知部１２６とをさらに備えている。エンジン制御部１１５には、露光装置３３、イレーサー部８４、濃度検出センサー１１６、高圧部１１８、感光体駆動部１１９、転写ベルト離間部１２０、ＭＦＰコントローラー１２１、不揮発メモリ１２２、環境センサー１２３、操作パネル１２４、本体側不揮発メモリ１２５、およびユニット検知部１２６の各々が接続されている。
【００６０】
エンジン制御部１１５は、露光装置３３、イレーサー部８４、高圧部１１８、感光体駆動部１１９、および転写ベルト離間部１２０などを制御する。エンジン制御部１１５は、ＣＰＵ（Ｃｅｎｔｒａｌ  Ｐｒｏｃｅｓｓｉｎｇ  Ｕｎｉｔ）（エンジン制御ＣＰＵ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３などを含んでいる。ＣＰＵ１０１は、制御プログラムに基づいて各種処理を行う。ＲＯＭ１０２は、制御プログラムを記憶する。ＲＡＭ１０３は、ＣＰＵ１０１の作業用の記憶領域である。
【００６１】
濃度検出センサー１１６は、中間転写ベルト３４の近傍に設けられており、中間転写ベルト３４上に形成されたトナー像の濃度を反射光により検出する。トナー像は一定の現像条件（帯電電位、現像バイアス、レーザー光量）で形成され、その濃度から現像ユニット３１および感光体ユニット３２の物性値が推定される。
【００６２】
高圧部１１８は、帯電、現像、および転写の各バイアス電圧の印加を行う。
【００６３】
感光体駆動部１１９は、感光体８１の駆動を行う。
【００６４】
転写ベルト離間部１２０は、二次転写ローラー３６と中間転写ベルト３４との間隔を調整する。
【００６５】
ＭＦＰコントローラー１２１は、操作パネル１２４などのユーザーインターフェースや外部機器との通信を行う。
【００６６】
不揮発メモリ１２２は、画像形成装置本体１００ａに設置された消耗品の各々に内蔵されており、消耗品の製造履歴や、消耗品の動作回数または動作時間を指標する値であるカウンター値を記憶している。このカウンター値は、消耗品の動作回数または動作時間が増加する度にエンジン制御部１１５によって更新（増加）される。
【００６７】
環境センサー１２３は、画像形成装置１００の周囲の温度および湿度を計測する。
【００６８】
操作パネル１２４は、各種情報を表示し、各種操作を受け付ける。
【００６９】
本体側不揮発メモリ１２５は、画像形成装置本体１００ａに設けられており、各種情報を記憶している。
【００７０】
ユニット検知部１２６は、画像形成装置本体１００ａに対する消耗品の各々の設置を検知する。
【００７１】
続いて、本実施の形態における画像形成装置１００の動作について説明する。
【００７２】
エンジン制御部１１５は、複数の寿命判断方法のうちいずれかを用いて、画像形成装置１００に設置された消耗品の寿命を判断する。エンジン制御部１１５は、画像形成装置１００に設置された消耗品の種類に応じて、複数の寿命判断方法の中から寿命判断方法を選択する。複数の寿命判断方法の各々は、後述するカウンターによる検知方法および実測値による検知方法の組合せが互いに異なるものである。
【００７３】
図３は、本発明の第１の実施の形態における、消耗品の種類が新品の純正品である場合の寿命判断方法を説明する図である。図４は、本発明の第１の実施の形態における、消耗品の種類が模造品である場合の寿命判断方法を説明する図である。
【００７４】
図３（ａ）を参照して、本実施の形態においてエンジン制御部１１５は、ユニット検知部１２６にて消耗品の交換を検知した場合に、その消耗品の種類が新品の純正品であるか模造品であるかに基づいて、複数の寿命判断方法の中からその消耗品の寿命判断方法を選択する。
【００７５】
新品の純正品とは、画像形成装置１００の製造者から品質の認定を受けた未使用の消耗品である。
【００７６】
図３（ｂ）を参照して、エンジン制御部１１５は、消耗品の種類が新品の純正品である場合には、始めにカウンターによる検知方法を用いた寿命到来の検知を行う。エンジン制御部１１５は、カウンターによる検知方法にて時刻ＬＴ１において寿命到来を検知した場合に、実測値による検知方法を用いた寿命到来の検知を開始する。エンジン制御部１１５は、実測値による検知方法にて時刻ＬＴ２において寿命到来を検知した場合に、消耗品の寿命が到来したと判断する。その結果、消耗品の種類が新品の純正品である場合には、寿命が到来する時刻が時刻ＬＴ１から時刻ＬＴ２に延長され、消耗品の寿命が延長される。
【００７７】
以降、図３（ｂ）に示す寿命判断方法を、延長した寿命判断方法と記すことがある。延長した寿命判断方法は、消耗品の寿命を延長する寿命判断方法である。
【００７８】
カウンターによる検知方法とは、画像形成装置１００に設置された消耗品に内蔵されている不揮発メモリ１２２のカウンター値が所定の値に達した場合に、その消耗品の寿命到来を検知する方法である。なお、カウンターによる検知方法は、画像形成装置１００に設置された消耗品の動作回数または動作時間を指標する値に基づいて、その消耗品の寿命到来を検知する方法であればよく、上述の方法に限定されるものではない。
【００７９】
実測値による検知方法とは、画像形成装置１００に設置された消耗品に関する実測値が所定の範囲（第１の範囲の一例）から外れた場合に、その消耗品の寿命到来を検知する方法である。なお、実測値による検知方法は、画像形成装置１００に設置された消耗品に関する実測値に基づいて、その消耗品の寿命到来を検知する方法であればよく、上述の方法に限定されるものではない。また、実測値による検知方法で用いられる消耗品に関する実測値は、消耗品の物性値および消耗品を用いて形成した画像の濃度のうち少なくともいずれか一方であることが好ましい。一例として、実測値による検知方法において、定着部よりも下流側に設けられた画像読み取り部（インラインセンサ）を用いて、形成された画像の濃度を測定し、測定結果に基づいて寿命到来が判断されてもよい。
【００８０】
実測値による検知方法については、第７の実施の形態において詳細に説明する。
【００８１】
図４（ａ）を参照して、模造品とは、純正品ではない消耗品であり、画像形成装置１００の製造者から品質の認定を受けていない消耗品である。
【００８２】
図４（ｂ）を参照して、エンジン制御部１１５は、消耗品の種類が模造品である場合には、カウンターによる検知方法を用いた寿命到来の検知と実測値による検知方法を用いた寿命到来の検知とを並行して行う。エンジン制御部１１５は、カウンターによる検知方法および実測値による検知方法のうち少なくともいずれか一方にて時刻ＬＴ３において寿命到来を検知した場合に、消耗品の寿命が到来したと判断する。
【００８３】
以降、図４（ｂ）に示す寿命判断方法を、並行した寿命判断方法と記すことがある。
【００８４】
模造品の性能は新品の純正品の性能よりも劣っている可能性が高く、画像形成装置１００の製造者はその品質を保証することができない。このため、不揮発メモリ１２２のカウンター値が所定の値に達する前に消耗品の性能が低下し、画像の品質が低下するおそれがある。このような事情から、エンジン制御部１１５は、消耗品の種類が模造品である場合には並行した寿命判断方法を採用することで、カウンターによる検知方法の検知結果を実測値による検知方法の検知結果で補う。
【００８５】
エンジン制御部１１５は、不揮発メモリ１２２に記憶されている消耗品の製造履歴に基づいてその消耗品の種類（その消耗品の種類が新品の純正品であるか模造品であるか）を特定する。
【００８６】
図５は、本発明の第１の実施の形態における不揮発メモリ１２２のアドレスマッピングを示す図である。
【００８７】
図５を参照して、画像形成装置１００に設置された消耗品に内蔵されている不揮発メモリ１２２は、アドレスの異なる３種類の記憶領域から構成されており、それぞれの記憶領域には８ビットまでの情報の記憶が可能である。
【００８８】
アドレス００ｈ〜１Ｆｈの記憶領域は、製造時にデータが書き込まれるとそれ以降の書込みが禁止され、読み出しのみ可能な領域（ＲＯＭ領域）である。この記憶領域には、当該消耗品の形式を示す機種識別コード、充填されているトナー色を示すカラー識別コード、および充填されているトナー量を示す充填量識別コードなどが記憶されている。
【００８９】
アドレス２０ｈ〜２Ｆｈの記憶領域は、画像形成装置１００が自由に書き込み可能な領域（ＲＡＭ領域）である。この記憶領域には、主にカウンター値など、印刷動作中の状態についての一時的な情報が書き込まれる。
【００９０】
アドレス３０ｈ〜３Ｆｈの記憶領域は、画像形成装置１００が一度だけ書き換え可能な領域（ＯＴＰ領域）である。この記憶領域には、消耗品が過去に寿命到来したことがあるか否かを示す再生情報が書き込まれる。この再生情報は消耗品が過去に１度も寿命到来していなければ全てのビットが「１」に設定される一方、１度で寿命到来していればエンジン制御部１１５によって全てのビットが「０」に書き換えられる。
【００９１】
エンジン制御部１１５は、この再生情報を読み取り、全てのビットが「１」であった場合は、当該消耗品が新品の純正品であると特定し、全てのビットが「０」であった場合には、当該消耗品が非純正品であると特定する。
【００９２】
図６は、本発明の第１の実施の形態における、消耗品の種類がリセット品である場合の寿命判断方法を説明する図である。
【００９３】
図６（ａ）を参照して、リセット品とは、模造品の一種であり、消耗品の不揮発メモリ１２２に記憶されているカウンター値を不正に変更した（巻き戻した）消耗品である。
【００９４】
図６（ｂ）を参照して、エンジン制御部１１５は、ユニット検知部１２６にて消耗品の交換を検知した場合に、その消耗品の種類が新品の純正品であるかリセット品であるかに基づいて、複数の寿命判断方法の中からその消耗品の寿命判断方法を選択してもよい。エンジン制御部１１５は、消耗品の種類がリセット品である場合にも、消耗品の種類が模倣品である場合と同様に、寿命判断方法として並行した寿命判断方法を選択してもよい。この場合エンジン制御部１１５は、カウンターによる検知方法および実測値による検知方法のうち少なくともいずれか一方にて時刻ＬＴ３において寿命到来を検知した場合に、消耗品の寿命が到来したと判断してもよい。
【００９５】
エンジン制御部１１５は、消耗品の種類がリセット品であるか否かを次の方法で判断してもよい。エンジン制御部１１５は、所定のタイミングで消耗品に関する実測値を測定し、本体側不揮発メモリ１２５などに記憶する。エンジン制御部１１５は、ユニット検知部１２６にてその消耗品の交換を検知した場合に、交換後の消耗品に関する実測値を測定し、本体側不揮発メモリ１２５などに記憶する。エンジン制御部１１５は、交換前の消耗品に関する実測値と、交換後の消耗品に関する実測値との差が所定の範囲（第２の範囲の一例）内である場合に、消耗品の種類がリセット品であると判断する。
【００９６】
消耗品の種類がリセット品である場合、ユーザーは、寿命に到達した古い消耗品を画像形成装置本体１００ａから取り出し、ＩＣリセッターなどを用いてその古い消耗品のカウンター値を巻き戻した後で、その古い消耗品を再び画像形成装置本体１００ａに設置するという行為を行ったものと推測される。この状況では、消耗品の不揮発メモリ１２２のカウンター値は所定の値を下回るものの、消耗品の性能自体に変化はない。したがって、消耗品の種類が新品の純正品であるかリセット品であるかを上述の方法で判断することができる。
【００９７】
図７は、本発明の第１の実施の形態において、エンジン制御部１１５が消耗品の寿命が到来したと判断した場合に操作パネル１２４に表示するメッセージを模式的に示す図である。
【００９８】
図７を参照して、エンジン制御部１１５は、消耗品の寿命が到来したと判断した場合に、ＭＦＰコントローラー１２１を通じて、寿命が到来した消耗品（ここではＫの現像ユニット３１ｄ）の交換をユーザーに対して促すメッセージＭＧを表示する。
【００９９】
図８は、本発明の第１の実施の形態において、ユニット検知部１２６にて消耗品の交換を検知した場合の画像形成装置１００の動作を示すフローチャートである。
【０１００】
図８を参照して、このフローチャートはＲＯＭ１０２に記憶されている制御プログラムをＣＰＵ１０１が実行することによって実現される。ＣＰＵ１０１は、ユニット検知部１２６にて消耗品の交換を検知した場合に、消耗品の必要な情報を取得し（Ｓ１０１）、消耗品が模造品またはリセット品であるか否かを判別する（Ｓ１０３）。
【０１０１】
ステップＳ１０１において、ＣＰＵ１０１は、消耗品が模造品であるか否かを判別する際に用いる、消耗品の不揮発メモリ１２２に記憶された製造履歴を取得する。またステップＳ１０１において、ＣＰＵ１０１は、消耗品がリセット品であるか否かを判別する際に用いる、消耗品に関する実測値を取得（測定）する。
【０１０２】
ステップＳ１０３において、消耗品が模造品でもリセット品でもないと判別した場合（Ｓ１０３でＮＯ）、ＣＰＵ１０１は、消耗品が新品の純正品であると判断し、延長した寿命判断方法を採用する。ＣＰＵ１０１は、カウンターによる検知方法を用いた寿命到来の検知を開始し（Ｓ１０５）、ユーザーの実行指示に基づくプリント動作の制御を行い、カウンター値を更新する（Ｓ１０７）。次にＣＰＵ１０１は、カウンターによる検知方法で寿命到来を検知したか否かを判別する（Ｓ１０９）。
【０１０３】
ステップＳ１０９において、カウンターによる検知方法で寿命到来を検知しないと判別した場合（Ｓ１０９でＮＯ）、ＣＰＵ１０１はステップＳ１０７の処理へ進む。
【０１０４】
ステップＳ１０９において、カウンターによる検知方法で寿命到来を検知したと判別した場合（Ｓ１０９でＹＥＳ）、ＣＰＵ１０１は、カウンターによる検知方法にて寿命到来を検知したと判断する。ＣＰＵ１０１は、実測値による検知方法を用いた寿命到来の検知を開始し（Ｓ１１１）、ユーザーの実行指示に基づくプリント動作の制御を行い、カウンター値を更新する（Ｓ１１３）。次にＣＰＵ１０１は、実測値による検知方法で寿命到来を検知したか否かを判別する（Ｓ１１５）。
【０１０５】
ステップＳ１１５において、実測値による検知方法で寿命到来を検知しないと判別した場合（Ｓ１１５でＮＯ）、ＣＰＵ１０１はステップＳ１１３の処理へ進む。
【０１０６】
ステップＳ１１５において、実測値による検知方法で寿命到来を検知したと判別した場合（Ｓ１１５でＹＥＳ）、ＣＰＵ１０１は、消耗品の寿命が到来したと判断し、ユーザーに対して消耗品の交換を促す通知を行い、画像形成装置１００の動作を停止させ（Ｓ１１７）、処理を終了する。
【０１０７】
ステップＳ１０３において、消耗品が模造品またはリセット品であると判別した場合（Ｓ１０３でＹＥＳ）、ＣＰＵ１０１は、並行した寿命判断方法を採用する。ＣＰＵ１０１は、カウンターによる検知方法を用いた寿命到来の検知と実測値による検知方法を用いた寿命到来の検知とを開始し（Ｓ１１９）、ユーザーの実行指示に基づくプリント動作の制御を行い、カウンター値を更新する（Ｓ１２１）。次にＣＰＵ１０１は、カウンターによる検知方法および実測値による検知方法のうち少なくともいずれか一方で寿命を検知したか否かを判別する（Ｓ１２３）。
【０１０８】
ステップＳ１２３において、カウンターによる検知方法でも実測値による検知方法でも寿命を検知しないと判別した場合（Ｓ１２３でＮＯ）、ＣＰＵ１０１はステップＳ１２１の処理へ進む。
【０１０９】
ステップＳ１２３において、カウンターによる検知方法および実測値による検知方法のうち少なくともいずれか一方で寿命を検知したと判別した場合（Ｓ１２３でＹＥＳ）、ＣＰＵ１０１は、消耗品の寿命が到来したと判断し、ユーザーに対して消耗品の交換を促す通知を行い、画像形成装置１００の動作を停止させ（Ｓ１１７）、処理を終了する。
【０１１０】
［第２の実施の形態］
【０１１１】
図９は、本発明の第２の実施の形態における、消耗品の種類がリユース品である場合の寿命判断方法を説明する図である。
【０１１２】
図９（ａ）を参照して、本実施の形態においてエンジン制御部１１５は、ユニット検知部１２６にて消耗品の交換を検知した場合に、その消耗品の種類が新品の純正品であるかリユース品であるかに基づいて、複数の寿命判断方法の中からその消耗品の寿命判断方法を選択する。
【０１１３】
リユース品とは、画像形成装置１００の製造者から品質の認定を受けた消耗品であって、消耗した部分を交換することで再利用可能とした消耗品である。
【０１１４】
図９（ｂ）を参照して、エンジン制御部１１５は、消耗品の種類がリユース品である場合には、実測値による検知方法を用いた寿命到来の検知を行わずに、カウンターによる検知方法を用いた寿命到来の検知を行う。エンジン制御部１１５は、カウンターによる検知方法にて時刻ＬＴ１において寿命到来を検知した場合に、消耗品の寿命が到来したと判断する。
【０１１５】
以降、図９（ｂ）に示す寿命判断方法を、回数のみによる寿命判断方法と記すことがある。
【０１１６】
一般的に、リユース品は、消耗品のカウンター値が所定の値に達するまでは、画像形成装置１００の製造者から品質の認定を受けている。一方で、リユース品の消耗していない部分については交換されておらず、古いままであるため、リユース品に新品の純正品と同等の性能を期待することはできない。このような事情から、エンジン制御部１１５は、消耗品の種類がリユース品である場合には、新品の純正品のような寿命延長を行わず、カウンターによる検知方法にて寿命到来を検知した場合に、消耗品の寿命が到来したと判断する。
【０１１７】
なお、エンジン制御部１１５は、消耗品の種類が新品の純正品である場合には、第１の実施の形態と同様に延長した寿命判断方法を採用する。
【０１１８】
エンジン制御部１１５は、不揮発メモリ１２２に記憶されている消耗品の製造履歴（リサイクル回数）に基づいてその消耗品の種類（その消耗品の種類が新品の純正品であるかリユース品であるか）を特定する。
【０１１９】
エンジン制御部１１５は、不揮発メモリ１２２に記憶されているリサイクル回数が所定回数を超えているときは、リユース品と見なして回数のみによる寿命判断方法を採用し、所定回数を超えていないときは、新品の純正品と見なして延長した寿命判断方法を採用してもよい。
【０１２０】
図１０は、本発明の第２の実施の形態において、ユニット検知部１２６にて消耗品の交換を検知した場合の画像形成装置１００の動作を示すフローチャートである。
【０１２１】
図１０を参照して、このフローチャートはＲＯＭ１０２に記憶されている制御プログラムをＣＰＵ１０１が実行することによって実現される。ＣＰＵ１０１は、ユニット検知部１２６にて消耗品の交換を検知した場合に、消耗品の不揮発メモリ１２２に記憶された製造履歴を取得する（Ｓ２０１）。次にＣＰＵ１０１は、カウンターによる検知方法を用いた寿命到来の検知を開始し（Ｓ２０３）、ユーザーの実行指示に基づくプリント動作の制御を行い、カウンター値を更新する（Ｓ２０５）。次にＣＰＵ１０１は、カウンターによる検知方法で寿命到来を検知したか否かを判別する（Ｓ２０７）。
【０１２２】
ステップＳ２０７において、カウンターによる検知方法で寿命到来を検知しないと判別した場合（Ｓ２０７でＮＯ）、ＣＰＵ１０１はステップＳ２０５の処理へ進む。
【０１２３】
ステップＳ２０７において、カウンターによる検知方法で寿命到来を検知したと判別した場合（Ｓ２０７でＹＥＳ）、ＣＰＵ１０１は、カウンターによる検知方法にて寿命到来を検知したと判断する。この場合ＣＰＵ１０１は、ステップＳ２０１で取得した製造履歴の情報に基づいて、消耗品がリユース品であるか否かを判別する（Ｓ２０９）。
【０１２４】
ステップＳ２０９において、消耗品がリユース品であると判別した場合（Ｓ２０９でＹＥＳ）、ＣＰＵ１０１は、回数のみによる寿命判断方法を採用する。ＣＰＵ１０１は、消耗品の寿命が到来したと判断し、ユーザーに対して消耗品の交換を促す通知を行い（Ｓ２１７）、処理を終了する。
【０１２５】
ステップＳ２０９において、消耗品がリユース品でないと判別した場合（Ｓ２０９でＮＯ）、ＣＰＵ１０１は、消耗品が新品の純正品であると判断し、延長した寿命判断方法を採用する。ＣＰＵ１０１は、実測値による検知方法を用いた寿命到来の検知を開始し（Ｓ２１１）、ユーザーの実行指示に基づくプリント動作の制御を行い、カウンター値を更新する（Ｓ２１３）。次にＣＰＵ１０１は、実測値による検知方法で寿命到来を検知したか否かを判別する（Ｓ２１５）。
【０１２６】
ステップＳ２１５において、実測値による検知方法で寿命到来を検知しないと判別した場合（Ｓ２１５でＮＯ）、ＣＰＵ１０１はステップＳ２１３の処理へ進む。
【０１２７】
ステップＳ２１５において、実測値による検知方法で寿命到来を検知したと判別した場合（Ｓ２１５でＹＥＳ）、ＣＰＵ１０１は、消耗品の寿命が到来したと判断し、ユーザーに対して消耗品の交換を促す通知を行い、画像形成装置１００の動作を停止させ（Ｓ２１７）、処理を終了する。
【０１２８】
なお、本実施の形態における画像形成装置の構成および上述以外の動作は、第１の実施の形態における画像形成装置の構成および動作と同様であるので、その説明は繰り返さない。
【０１２９】
［第３の実施の形態］
【０１３０】
第３および第４の実施の形態は、上述の第１または第２の実施の形態と組み合わせられるものである。
【０１３１】
図１を参照して、画像形成装置１００は、消耗品の組として、Ｙの現像ユニット３１ａおよび感光体ユニット３２ａの組と、Ｍの現像ユニット３１ｂおよび感光体ユニット３２ｂの組と、Ｃの現像ユニット３１ｃおよび感光体ユニット３２ｃの組と、Ｋの現像ユニット３１ｄおよび感光体ユニット３２ｄの組とを備えている。
【０１３２】
ここでは、Ｋの現像ユニット３１ｄおよび感光体ユニット３２ｄの組に着目する。現像ユニット３１ｄまたは感光体ユニット３２ｄについて実測値による検知方法を行う場合に、現像ユニット３１ｄおよび感光体ユニット３２ｄにより中間転写ベルト３４上（または感光体８１上）にＫのトナー像を形成し、形成したトナー像におけるトナー付着量を測定することにより現像ユニット３１ｄまたは感光体ユニット３２ｄの寿命を検知する方法が用いられることがある。
【０１３３】
この状況では、得られる実測値は現像ユニット３１ｄおよび感光体ユニット３２ｄの両方の性能を示すものとなる。このため、現像ユニット３１ｄおよび感光体ユニット３２ｄの組のうち一方の消耗品の種類が純正品であり、他方の消耗品の種類が非純正品である場合には、一方の消耗品に関する正確な実測値を得ることができない。
【０１３４】
そこでエンジン制御部１１５は、現像ユニット３１ｄおよび感光体ユニット３２ｄの組のうち一方の消耗品の種類が純正品であり、他方の消耗品の種類が非純正品である場合には、一方の消耗品の寿命判断方法として、延長した寿命判断方法ではなく回数のみによる寿命判断方法を選択する。
【０１３５】
図１１は、本発明の第３の実施の形態における現像ユニットおよび消耗品ユニットの組と、採用する寿命判断方法との関係を示す図である。
【０１３６】
図１１を参照して、ケース１は、現像ユニットおよび感光体ユニットがいずれも純正品である場合である。ケース１では、現像ユニットおよび感光体ユニットの各々について、延長した寿命判断方法が採用される。
【０１３７】
ケース２は、現像ユニットが非純正品であり、感光体ユニットが純正品である場合である。ケース３では、現像ユニットについてはその消耗品の種類に対応する寿命判断方法が採用され、感光体ユニットについては回数のみによる寿命判断方法が採用される。
【０１３８】
ケース３は、現像ユニットが純正品であり、感光体ユニットが非純正品である場合である。ケース３では、現像ユニットについては回数のみによる寿命判断方法が採用され、感光体ユニットについてはその消耗品の種類に対応する寿命判断方法が採用される。
【０１３９】
ケース４は、現像ユニットおよび感光体ユニットがいずれも非純正品である場合である。ケース１では、現像ユニットおよび感光体ユニットの各々について、その消耗品の種類に対応した寿命判断方法が採用される。
【０１４０】
なお、本実施の形態における画像形成装置の構成および上述以外の動作は、第１または第２の実施の形態における画像形成装置の構成および動作と同様であるので、その説明は繰り返さない。
【０１４１】
［第４の実施の形態］
【０１４２】
図１２は、本発明の第４の実施の形態における、消耗品の種類が純正品であり、かつ消耗品のカウンター不良が発生した場合の寿命判断方法を説明する図である。
【０１４３】
図１２を参照して、消耗品の動作回数または動作時間を指標する値であるカウンター値は、不揮発メモリ１２２または本体側不揮発メモリ１２５における書き換え可能な領域に記憶されており、エンジン制御部１１５は、画像形成装置１００が使用される度に、カウンター値をカウントアップする。また、消耗品は純正品であり、延長した寿命判断方法が選択されており、カウンターによる検知方法を用いて寿命到来を検知中である。
【０１４４】
このような状況において、エンジン制御部１１５がカウンター値を更新している最中である時刻ＴＭ１において、画像形成装置１００の電源が切られたり、エンジン制御部１１５と不揮発メモリ１２２または本体側不揮発メモリ１２５との間の通信不良が発生したりすると、カウンター値に異常が発生し、カウンターによる検知方法を継続できない事態となる。このような事態が発生した場合に、従来はトラブルが発生したと判断されて画像形成装置の動作が停止され、消耗品の交換が促されていた。
【０１４５】
本実施の形態におけるエンジン制御部１１５は、延長した寿命判断方法を選択した場合において、カウンターによる検知方法を用いた寿命到来の検知中に、カウンター値が使用不能となったときは、カウンターによる検知方法の検知結果に関わらずに実測値による検知方法による寿命到来の検知を開始する。エンジン制御部１１５は、時刻ＴＭ１において実測値による検知方法による寿命到来の検知を開始し、実測値による検知方法によって時刻ＬＴ４において寿命到来を検知した場合に、消耗品の寿命が到来したと判断する。
【０１４６】
なお、本実施の形態における画像形成装置の構成および上述以外の動作は、第１または第２の実施の形態における画像形成装置の構成および動作と同様であるので、その説明は繰り返さない。
【０１４７】
［第５の実施の形態］
【０１４８】
図１３は、本発明の第５の実施の形態における、消耗品の種類が中古品（旧品）である場合の寿命判断方法を説明する図である。
【０１４９】
図１３（ａ）を参照して、本実施の形態においてエンジン制御部１１５は、ユニット検知部１２６にて消耗品の交換を検知した場合に、その消耗品の種類が新品の純正品であるか中古品であるかに基づいて、複数の寿命判断方法の中からその消耗品の寿命判断方法を選択する。
【０１５０】
中古品とは、画像形成装置１００の製造者から品質の認定を受けた新品ではない消耗品であって、未だ寿命が到来していない消耗品である。
【０１５１】
図１３（ｂ）を参照して、ここでは、中古品である消耗品は、延長した寿命判断方法におけるカウンターによる検知方法を用いた寿命到来の検知中に、他の画像形成装置から取り外され、時刻ＴＭ２において画像形成装置１００に設置されたものとする。エンジン制御部１１５は、設置された消耗品の種類が中古品である場合には、カウンターによる検知方法を用いた寿命到来の検知を行わずに、実測値による検知方法を用いた寿命到来の検知を行う。エンジン制御部１１５は、実測値による検知方法にて時刻ＬＴ５において寿命到来を検知した場合に、消耗品の寿命が到来したと判断する。
【０１５２】
以降、図１３（ｂ）に示す寿命判断方法を、実測値のみによる寿命判断方法と記すことがある。
【０１５３】
消耗品の中には、消耗品自身が不揮発メモリ１２２（メモリチップ）を含んでいないものも存在する。不揮発メモリ１２２を含んでいない中古品の消耗品を、他の画像形成装置から取り外して画像形成装置１００に設置する場合、サービスマンは、通常、他の画像形成装置の本体側不揮発メモリからその消耗品のカウンター値を取得し、取得したカウンター値を設置先の画像形成装置１００の本体側不揮発メモリ１２５に入力するという作業を行う。この作業では、サービスマンによるカウンター値の入力ミスや入力忘れが発生しやすい。サービスマンによるカウンター値の入力ミスや入力忘れが発生すると、カウンターによる検知方法を用いた寿命到来の検知が不正確となり、実測値による検知方法を開始するタイミングが遅れ、消耗品の寿命が到来したと判断する前に画像の品質の低下が発生するおそれがある。このような事情から、エンジン制御部１１５は、消耗品の種類が中古品である場合には、カウンターによる検知方法による寿命到来の検知を行わず、実測値による検知方法を用いた寿命到来の検知を行う。
【０１５４】
エンジン制御部１１５は、ユニット検知部１２６にて消耗品の交換を検知した場合において、不揮発メモリ１２２に記憶されている消耗品の製造履歴が新品を示すものでないときは、その消耗品を中古品と特定する。
【０１５５】
図１４は、本発明の第５の実施の形態において、ユニット検知部１２６にて消耗品の交換を検知した場合の画像形成装置１００の動作を示すフローチャートである。
【０１５６】
図１４を参照して、このフローチャートはＲＯＭ１０２に記憶されている制御プログラムをＣＰＵ１０１が実行することによって実現される。ＣＰＵ１０１は、ユニット検知部１２６にて消耗品の交換を検知した場合に、消耗品の不揮発メモリ１２２に記憶された製造履歴を取得する（Ｓ３０１）。次にＣＰＵ１０１は、延長した寿命判断方法を採用し、カウンターによる検知方法を用いた寿命到来の検知を開始する（Ｓ３０３）。続いてＣＰＵ１０１は、ユーザーの実行指示に基づくプリント動作の制御を行い、カウンター値を更新する（Ｓ３０５）。次にＣＰＵ１０１は、中古品である消耗品への交換を検出したか否かを判別する（Ｓ３０７）。
【０１５７】
ステップＳ３０７において、中古品である消耗品への交換を検出しないと判別した場合（Ｓ３０７でＮＯ）、ＣＰＵ１０１は、カウンターによる検知方法で寿命到来を検知したか否かを判別する（Ｓ３０９）。
【０１５８】
ステップＳ３０９において、カウンターによる検知方法で寿命到来を検知したと判別した場合（Ｓ３０９でＹＥＳ）、ＣＰＵ１０１はステップＳ３１１の処理へ進む。
【０１５９】
ステップＳ３０９において、カウンターによる検知方法で寿命到来を検知しないと判別した場合（Ｓ３０９でＮＯ）、ＣＰＵ１０１はステップＳ３０５の処理へ進む。
【０１６０】
ステップＳ３０７において、中古品である消耗品への交換を検出したと判別した場合（Ｓ３０７でＹＥＳ）、ＣＰＵ１０１は、寿命判断方法を実測値のみによる寿命判断方法に変更する。ＣＰＵ１０１は、実測値による検知方法を用いた寿命到来の検知を開始し（Ｓ３１１）、ユーザーの実行指示に基づくプリント動作の制御を行い、カウンター値を更新する（Ｓ３１３）。次にＣＰＵ１０１は、実測値による検知方法で寿命到来を検知したか否かを判別する（Ｓ３１５）。
【０１６１】
ステップＳ３１５において、実測値による検知方法で寿命到来を検知しないと判別した場合（Ｓ３１５でＮＯ）、ＣＰＵ１０１はステップＳ３１３の処理へ進む。
【０１６２】
ステップＳ３１５において、実測値による検知方法で寿命到来を検知したと判別した場合（Ｓ３１５でＹＥＳ）、ＣＰＵ１０１は、消耗品の寿命が到来したと判断し、ユーザーに対して消耗品の交換を促す通知を行い、画像形成装置１００の動作を停止させ（Ｓ３１７）、処理を終了する。
【０１６３】
なお、本実施の形態における画像形成装置の構成および上述以外の動作は、第１の実施の形態における画像形成装置の構成および動作と同様であるので、その説明は繰り返さない。
【０１６４】
［第６の実施の形態］
【０１６５】
図１５は、本発明の第６の実施の形態における、消耗品の不揮発メモリ１２２に記憶された情報と、寿命判断方法との関係を示す図である。
【０１６６】
図１５を参照して、本実施の形態において、消耗品の不揮発メモリ１２２には、その消耗品で採用すべき寿命判断方法を指標する情報が記憶されている。エンジン制御部１１５は、消耗品の不揮発メモリ１２２に記憶されている情報に基づいて、複数の寿命判断方法の中からその消耗品の寿命判断方法を選択する。言い換えれば、本実施の形態における消耗品の種類は、消耗品に記憶された寿命判断方法を指標する情報である。
【０１６７】
本実施の形態においてエンジン制御部１１５は、複数の寿命判断方法として、第１の寿命判断方法、第２の寿命判断方法、および第３の寿命判断方法を有している。第１の寿命判断方法は、延長した寿命判断方法である。第２の寿命判断方法は、回数のみによる寿命判断方法である。第３の寿命判断方法は、並行した寿命判断方法である。
【０１６８】
消耗品の不揮発メモリ１２２は、その消耗品で採用すべき寿命判断方法を指標する情報を記憶する領域として、「ビット１」および「ビット２」という２ビットの領域を有している。「ビット１」および「ビット２」の各々のデータは、「１」から「０」への１回の書き換えのみが可能となっており、「１」から「０」への２回以上の書き換えや、「０」から「１」への書き換えは不可能となっている。
【０１６９】
消耗品で採用すべき寿命判断方法が第１の寿命判断方法である場合、「ビット１」には「１」というデータが記録され、「ビット２」には「０」というデータが記録される。消耗品で採用すべき寿命判断方法が第２の寿命判断方法である場合、「ビット１」には「０」というデータが記録され、「ビット２」には「１」というデータが記録される。消耗品で採用すべき寿命判断方法が第３の寿命判断方法である場合、「ビット１」および「ビット２」にはいずれも「０」というデータが記録される。
【０１７０】
消耗品が、寿命の延長が可能と判断されていない（流通初期の）新品の純正品である場合、その消耗品の不揮発メモリ１２２には、第２の寿命判断方法を指標する情報（「ビット１」に「１」、「ビット２」に「０」というデータ）が書き込まれる。この書き込みは、消耗品の生産時に工場において行われる。
【０１７１】
流通初期の純正品は、市場での使用の実績が乏しいため、その性能を正確に評価することが困難であり、寿命を延長することができるか否かが不明である。したがって、流通初期の純正品には、回数のみによる寿命判断方法が採用される。
【０１７２】
一方、消耗品の流通開始からある程度の期間が経過すると、その消耗品についての製品間での性能のバラツキや、市場での評価結果などの情報が得られる場合が多い。これらの得られた情報に基づいて、製造者は消耗品の寿命の延長が可能か否かを判断する。消耗品の寿命の延長が可能と判断された場合には、その後に製造する消耗品の不揮発メモリ１２２には、第１の寿命判断方法を指標する情報（「ビット１」に「０」、「ビット２」に「１」というデータ）が書き込まれる。この書き込みは、消耗品の生産時に工場において行われる。
【０１７３】
画像形成装置１００は、画像形成装置本体１００ａに設置されている消耗品の寿命が到来した場合に、「ビット１」および「ビット２」がいずれも「０」となるようにデータを書き換える。これにより、消耗品の不揮発メモリ１２２に記憶されている情報が第１の寿命判断方法を指標する情報であるか第２の寿命判断方法を指標する情報であるかに関わらず、消耗品の不揮発メモリ１２２に記憶されている情報は第３の寿命判断方法を指標する情報に書き換えられる。これにより、寿命が到来した消耗品がリユース品やリセット品として再利用された場合に、実測値のみによる寿命判断方法が採用されるようになり、消耗品の寿命到来を適切に判断することができる。また、「ビット１」および「ビット２」の各々のデータが「１」から「０」への１回の書き換えのみが可能であるため、不正なデータの改ざんを防止することができ、より安全な側へのデータの書き換えのみが可能となる。
【０１７４】
なお、上記の第１〜第３の寿命判断方法のうちいずれか２つのみが採用されてもよい。
【０１７５】
図１６および図１７は、本発明の第６の実施の形態において、ユニット検知部１２６にて消耗品の交換を検知した場合の画像形成装置１００の動作を示すフローチャートである。
【０１７６】
図１６を参照して、このフローチャートはＲＯＭ１０２に記憶されている制御プログラムをＣＰＵ１０１が実行することによって実現される。ＣＰＵ１０１は、ユニット検知部１２６にて消耗品の交換を検知した場合に、消耗品の不揮発メモリ１２２に記憶された情報を取得する（Ｓ４０１）。次にＣＰＵ１０１は、消耗品の不揮発メモリ１２２から取得した情報に基づいて、その消耗品で採用すべき寿命判断方法が第１の寿命判断方法であるか否かを判別する（Ｓ４０３）。
【０１７７】
ステップＳ４０３において、その消耗品で採用すべき寿命判断方法が第１の寿命判断方法であると判別した場合（Ｓ４０３でＹＥＳ）、ＣＰＵ１０１は、延長した寿命判断方法を採用する。ＣＰＵ１０１は、カウンターによる検知方法を用いた寿命到来の検知を開始し（Ｓ４０５）、ユーザーの実行指示に基づくプリント動作の制御を行い、カウンター値を更新する（Ｓ４０７）。次にＣＰＵ１０１は、カウンターによる検知方法で寿命到来を検知したか否かを判別する（Ｓ４０９）。
【０１７８】
ステップＳ４０９において、カウンターによる検知方法で寿命到来を検知しないと判別した場合（Ｓ４０９でＮＯ）、ＣＰＵ１０１はステップＳ４０７の処理へ進む。
【０１７９】
ステップＳ４０９において、カウンターによる検知方法で寿命到来を検知したと判別した場合（Ｓ４０９でＹＥＳ）、ＣＰＵ１０１は、カウンターによる検知方法にて寿命到来を検知したと判断する。ＣＰＵ１０１は、実測値による検知方法を用いた寿命到来の検知を開始し（Ｓ４１１）、ユーザーの実行指示に基づくプリント動作の制御を行い、カウンター値を更新する（Ｓ４１３）。次にＣＰＵ１０１は、実測値による検知方法で寿命到来を検知したか否かを判別する（Ｓ４１５）。
【０１８０】
ステップＳ４１５において、実測値による検知方法で寿命到来を検知しないと判別した場合（Ｓ４１５でＮＯ）、ＣＰＵ１０１はステップＳ４１３の処理へ進む。
【０１８１】
ステップＳ４１５において、実測値による検知方法で寿命到来を検知したと判別した場合（Ｓ４１５でＹＥＳ）、ＣＰＵ１０１は、消耗品の寿命が到来したと判断する。ＣＰＵ１０１は、消耗品の不揮発メモリ１２２に記憶されている情報を第３の寿命判断方法を指標する情報に書き換え（Ｓ４１７）、ユーザーに対して消耗品の交換を促す通知を行い、画像形成装置１００の動作を停止させ（Ｓ４１９）、処理を終了する。
【０１８２】
ステップＳ４０３において、その消耗品で採用すべき寿命判断方法が第１の寿命判断方法でないと判別した場合（Ｓ４０３でＮＯ）、ＣＰＵ１０１は、消耗品の不揮発メモリ１２２から取得した情報に基づいて、その消耗品で採用すべき寿命判断方法が第２の寿命判断方法であるか否かを判別する（Ｓ４２１）。
【０１８３】
ステップＳ４２１において、その消耗品で採用すべき寿命判断方法が第２の寿命判断方法であると判別した場合（Ｓ４２１でＹＥＳ）、ＣＰＵ１０１は、回数のみによる寿命判断方法を採用する。ＣＰＵ１０１は、カウンターによる検知方法を用いた寿命到来の検知を開始し（Ｓ４２３）、ユーザーの実行指示に基づくプリント動作の制御を行い、カウンター値を更新する（Ｓ４２５）。次にＣＰＵ１０１は、カウンターによる検知方法で寿命到来を検知したか否かを判別する（Ｓ４２７）。
【０１８４】
ステップＳ４２７において、カウンターによる検知方法で寿命到来を検知しないと判別した場合（Ｓ４２７でＮＯ）、ＣＰＵ１０１はステップＳ４２５の処理へ進む。
【０１８５】
ステップＳ４２７において、カウンターによる検知方法で寿命到来を検知したと判別した場合（Ｓ４２７でＹＥＳ）、ＣＰＵ１０１は、消耗品の寿命が到来したと判断する。ＣＰＵ１０１は、消耗品の不揮発メモリ１２２に記憶されている情報を第３の寿命判断方法を指標する情報に書き換え（Ｓ４１７）、ユーザーに対して消耗品の交換を促す通知を行い、画像形成装置１００の動作を停止させ（Ｓ４１９）、処理を終了する。
【０１８６】
ステップＳ４２１において、その消耗品で採用すべき寿命判断方法が第２の寿命判断方法でないと判別した場合（Ｓ４２１でＹＥＳ）、ＣＰＵ１０１は、図１７のステップＳ４２９の処理へ進む。
【０１８７】
図１７を参照して、ステップＳ４２９において、ＣＰＵ１０１は、その消耗品で採用すべき寿命判断方法が第３の寿命判断方法であると判断し、並行した寿命判断方法を採用する。ＣＰＵ１０１は、カウンターによる検知方法を用いた寿命到来の検知と実測値による検知方法を用いた寿命到来の検知とを開始し（Ｓ４２９）、ユーザーの実行指示に基づくプリント動作の制御を行い、カウンター値を更新する（Ｓ４３１）。次にＣＰＵ１０１は、カウンターによる検知方法および実測値による検知方法のうち少なくともいずれか一方で寿命を検知したか否かを判別する（Ｓ４３３）。
【０１８８】
ステップＳ４３３において、カウンターによる検知方法でも実測値による検知方法でも寿命を検知しないと判別した場合（Ｓ４３３でＮＯ）、ＣＰＵ１０１はステップＳ４３１の処理へ進む。
【０１８９】
ステップＳ４３３において、カウンターによる検知方法および実測値による検知方法のうち少なくともいずれか一方で寿命を検知したと判別した場合（Ｓ４３３でＹＥＳ）、ＣＰＵ１０１は、消耗品の寿命が到来したと判断する。ＣＰＵ１０１は、消耗品の不揮発メモリ１２２に記憶されている情報を第３の寿命判断方法を指標する情報に書き換え（図１６のＳ４１７）、ユーザーに対して消耗品の交換を促す通知を行い、画像形成装置１００の動作を停止させ（図１６のＳ４１９）、処理を終了する。
【０１９０】
なお、本実施の形態における画像形成装置の構成および上述以外の動作は、第１の実施の形態における画像形成装置の構成および動作と同様であるので、その説明は繰り返さない。
【０１９１】
［第７の実施の形態］
【０１９２】
本実施の形態では、実測値による検知方法について詳細に説明する。
【０１９３】
（１）現像ユニット３１についての実測値による検知方法を用いた寿命到来の検知方法
【０１９４】
本実施の形態の前提として、エンジン制御部１１５は、必要なタイミングで画像安定化制御を行う。画像安定化制御とは、形成される画像が狙い通りの濃度となるように各部のバイアス条件を見直すものである。耐久使用の進行や環境条件により最適なバイアス条件は変動するので、画像安定化処理は必要なタイミングで行われる。本実施の形態では、この画像安定化制御のうち特に付着量制御に着目する。付着量制御とは、現像ユニット３１による感光体８１へのトナー付着量が最適となるように現像バイアスを調整するものである。
【０１９５】
図１８は、本発明の第７の実施の形態において、付着量制御で形成されるパターンを示す平面図である。図１９は、本発明の第７の実施の形態において、付着量制御における現像バイアスと濃度との関係をプロットしたグラフである。
【０１９６】
図１８および図１９を参照して、付着量制御を行う際、エンジン制御部１１５は、中間転写ベルト３４上に４色のパターンを４通りの現像バイアスで作成し、形成したパターンの濃度を濃度検出センサー１１６によって測定する。エンジン制御部１１５は、各色の現像バイアスと濃度との関係をプロットし、近似直線ＬＮ１を算出する。エンジン制御部１１５は、近似直線ＬＮ１を用いて、目標付着量に相当する濃度に対応する現像バイアスを決定する。以後の画像形成では基本的に、この方法で決定された現像バイアスが使用される。なお、上記の現像バイアスの決定は、各色について互いに独立に行われる。
【０１９７】
エンジン制御部１１５は、付着量制御により決定した現像バイアスを、付着量制御を行った時に環境センサー１２３にて測定した環境値とともに不揮発メモリ１２２に記憶する。さらにエンジン制御部１１５は、付着量制御を行った時点での現像ユニット３１の累積印字枚数および感光体８１の累積回転時間も、あわせて不揮発メモリ１２２に記憶する。
【０１９８】
図２０は、本発明の第７の実施の形態において、現像ユニット３１についての実測値による検知方法を用いた寿命到来の検知を行う場合の、現像バイアスの許容範囲を示すグラフである。
【０１９９】
図２０を参照して、このグラフには「上限閾値」という右下がりの直線ＬＮ２と、「下限閾値」という右下がりの直線ＬＮ３とが引かれている。現像バイアスが上限閾値を超えているということは、現像ユニット３１のトナー搬送能力が許容範囲を超えて低下したということを意味している。現像バイアスが下限閾値を下回るということは、トナーの帯電量が許容範囲を超えて上昇したということを意味している。したがって、直線ＬＮ２と直線ＬＮ３との間の領域がＯＫ領域（寿命到来を検知しない範囲）とされており、直線ＬＮ２および直線ＬＮ３の両外側がＮＧ領域（寿命到来を検知する範囲）とされている。
【０２００】
直線ＬＮ２および直線ＬＮ３は、いずれも感光体の累積回転時間が増大するにつれて平行して下がる傾向にある。直線ＬＮ２および直線ＬＮ３の各々は、それぞれ下記式（１）および（２）で示される。なお、式（１）および（２）中の数値は、実験的に定めたものの一例であるため、色や個体によって異なる場合がある。
【０２０１】
上限閾値［Ｖ］ ＝ ５５０−０．００８１×感光体の累積回転時間［分］・・・（１）
【０２０２】
下限閾値［Ｖ］ ＝ ２８０−０．００８１×感光体の累積回転時間［分］・・・（２）
【０２０３】
エンジン制御部１１５は、実測値による検知方法を用いた寿命到来の検知を行う場合、
現像バイアス値と、その時の感光体８１の累積回転時間とを不揮発メモリ１２２から読み出し、図２０中にプロットする。エンジン制御部１１５は、そのプロットがＯＫ領域内にあれば、現像ユニット３１の寿命到来を検知しない。一方、エンジン制御部１１５は、そのプロットがＮＧ領域内にあれば、現像ユニット３１の寿命到来を検知する。
【０２０４】
現像ユニットについての実測値による検知方法を用いた寿命到来の検知は、上述の方法の代わりに図２１に示すテーブルを用いて行われてもよい。
【０２０５】
図２１は、本発明の第７の実施の形態において、現像ユニット３１についての実測値による検知方法を用いた寿命到来の検知を行う場合の、現像バイアスの許容範囲の別の例を示すテーブルである。
【０２０６】
図２１を参照して、このテーブルは、ＹＭＣＫそれぞれについて上限閾値および下限閾値を定めたテーブルである。上限閾値および下限閾値は、感光体８１の累積回転数が３０万回転未満である場合と３０万回転以上である場合とのそれぞれで異なる値に設定されている。このテーブルにおけるいずれの閾値も、３０万回転未満用のものより３０万回転以上用のものの方が小さくなっている。これは、図２０グラフが右下がりである理由と同じである。
【０２０７】
エンジン制御部１１５は、現像バイアス値と、その時の感光体８１の累積回転時間とを不揮発メモリ１２２から読み出し、感光体８１の累積回転時間が３０万回転未満であるか３０万回転以上であるかを判別し、該当する方の上限閾値および下限閾値を用いて、読み出した現像バイアス値がＯＫ領域内にあるかＮＧ領域内にあるかを判断する。エンジン制御部１１５は、読み出した現像バイアス値がＯＫ領域内にあれば、現像ユニット３１の寿命到来を検知せず、読み出した現像バイアス値がＮＧ領域内にあれば、現像ユニット３１の寿命到来を検知する。
【０２０８】
（２）現像ユニット３１についての実測値による検知方法を用いた寿命到来の検知方法
【０２０９】
エンジン制御部１１５は、帯電電流を用いて感光体ユニット３２の寿命到来を検知する。帯電電流とは、帯電装置８２と感光体８１との間に画像形成時と同じ帯電バイアスを印加した状態で、帯電装置８２と感光体８１との間に流れる電流である。この帯電電流の測定は、画像形成中ではなく画像形成をしていないときに必要なタイミングで行われる。具体的には、帯電バイアス（特にその交流成分のピークトゥピーク値）を最適化する帯電調整の実行時に合わせて行われる。帯電調整は、たとえば画像形成装置１００の電源投入直後、所定枚数の画像形成ごと、所定の時間経過ごと、または環境値に変動があったときなどに行われる。
【０２１０】
図２２は、帯電電流と感光体の膜厚との関係を示すグラフである。
【０２１１】
図２２を参照して、帯電電流は感光体８１の膜厚（より詳細にいえば感光体８１の表面の感光層の膜厚）と反比例するため、帯電電流から感光体８１の膜厚を知ることができる。膜厚が分かれば、下記式（３）により、感光体８１の新品時から帯電電流測定時までの感光体８１の回転時間当たりの膜厚の減少量（減少傾きという）を算出することができる。なお、式（３）における初期膜厚は、仕様による既知値である。
【０２１２】
減少傾き＝（初期膜厚−現在の膜厚）／現在の累積回転時間・・・（３）
【０２１３】
一方で感光体８１の膜厚は、耐久使用の進行とともに一定のスピードで減少していく。このため図２２では、感光体８１の耐久使用の進行とともに膜厚の現象に対する帯電電流の変化が大きくなっている。このことは、耐久使用の終期に近づくほど帯電電流から算出した感光体８１の膜厚の精度が高いことを意味する。このため、感光体ユニット３２についての実測値による検知方法を用いた寿命到来の検知において、なるべく新しく求められた帯電電流値を使った方が高い精度が期待できる。しかしながら帯電電流の測定自体にも環境要因などに基づくばらつきがある。このため、最新の帯電電流値のみを用いることは必ずしも好ましくない。
【０２１４】
そこでエンジン制御部１１５は、過去に複数回にわたって求められた帯電電流値を使いつつ、新しい方の帯電電流値に重み付けを置いて減少傾きを決定する。これにより、精度の高い新しい帯電電流値を重視しつつ、測定ばらつきの影響を過度に受けてしまうことを排除することができる。
【０２１５】
本実施の形態の前提として、エンジン制御部１１５は、必要なタイミングで帯電Ｖｐｐ制御を行う。
【０２１６】
図２３は、本発明の第７の実施の形態において画像形成装置１００が実行する帯電Ｖｐｐ制御を示すフローチャートである。
【０２１７】
図２３を参照して、このフローチャートはＲＯＭ１０２に記憶されている制御プログラムをＣＰＵ１０１が実行することによって実現される。ＣＰＵ１０１は、帯電Ｖｐｐ制御、すなわち上述の帯電調整およびそれに伴う帯電電流の測定を行う（Ｓ１０６１）。この内容そのものは一般的なものであるため、詳細な説明は省略する。ただ、決定される帯電バイアスや測定される帯電電流値は、ＹＭＣＫで同一の値であるとは限らない。
【０２１８】
次に、ＣＰＵ１０１は、感光体８１の回転時間を、あらかじめ定められた所定の回転時間Ｒ１と対比する（Ｓ１０６２）。ここで対比の対象となる回転時間は、直前のＳ１０６１の帯電Ｖｐｐ制御がなされた時点での感光体ユニット３２としての累積回転時間である。所定の回転時間Ｒ１とは、図２２のグラフにおいて傾斜が起ち上がり始める辺りに相当するようにあらかじめ定めた回転時間である。一般的にいわれる「ライフストップ」に相当する回転時間、すなわち画像形成の強制停止に至るような回転時間よりは短い回転時間である。所定の回転時間Ｒ１も不揮発メモリ１２２に保存されている。なお、所定の回転時間Ｒ１は、ＹＭＣＫで互いに異なる値であってもよい。
【０２１９】
ステップＳ１０６２において、回転時間が所定の回転時間Ｒ１に達していない場合には（Ｓ１０６２でＮＯ）、ＣＰＵ１０１は処理を終了する。感光体ユニット３２の寿命到来にはまだ遠く、寿命管理を精密に行う必要はまだないからである。また、図２２のグラフの傾斜がまだ緩く、測定された帯電電流値の信頼性がそれほど高くないからである。
【０２２０】
ステップＳ１０６２において、回転時間が所定の回転時間Ｒ１に達している場合には（Ｓ１０６２でＹＥＳ）、ＣＰＵ１０１は、環境値をチェックする（Ｓ１０６３）。より詳細には、ＣＰＵ１０１は、当該帯電Ｖｐｐ制御で帯電電流の測定がなされたときの環境が、通常の平穏な環境であったか否かがチェックされる。温度および湿度が極端な値であったときの測定結果は、寿命判定に用いるには不適切だからである。
【０２２１】
ステップＳ１０６３において、環境値が適切でなかった場合には（Ｓ１０６３でＮＯ）、ＣＰＵ１０１は処理を終了する。寿命判定に使える帯電電流値が存在しないためである。
【０２２２】
ステップＳ１０６３において、環境値が適切であった場合には（Ｓ１０６３でＹＥＳ）、ＣＰＵ１０１は、帯電電流値と感光体８１の回転時間とをラッチする（Ｓ１０６４）。すなわちＣＰＵ１０１は、ステップＳ１０６１で測定した帯電電流値と、そのときにおける感光体８１の累積回転時間とを一時保存する。続いてＣＰＵ１０１は、ラッチした帯電電流値および回転時間により、上記式（３）により現時点での減少傾きを算出する（Ｓ１０６５）。続いてＣＰＵ１０１は、ステップＳ１０６５で新たに算出した減少傾きと、不揮発メモリ１２２にバックアップされている減少傾きとの平均を求める（Ｓ１０６６）。
【０２２３】
そしてＣＰＵ１０１は、求めた平均値を、新たな減少傾きとして不揮発メモリ１２２にバックアップし（Ｓ１０６７）、処理を終了する。こうして、減少傾きの値が更新される。更新された減少傾きの値は、最新の帯電電流値が５０％の重み付けで反映されているものであるが、最新の帯電電流値のみを使用して算出されたものではない。
【０２２４】
図２４は、本発明の第７の実施の形態において画像形成装置１００が実行する、感光体ユニット３２についての実測値による検知方法を用いた寿命到来の検知方法を示すフローチャートである。
【０２２５】
図２４を参照して、このフローチャートはＲＯＭ１０２に記憶されている制御プログラムをＣＰＵ１０１が実行することによって実現される。ＣＰＵ１０１は、不揮発メモリ１２２から感光体８１の回転時間を取得し（Ｓ１０７１）、取得した感光体８１の回転時間を、前述の所定の回転時間Ｒ１と対比する（Ｓ１０７２）。
【０２２６】
ステップＳ１０７２において、回転時間が所定の回転時間Ｒ１に達している場合には（Ｓ１０７２でＹＥＳ）、ＣＰＵ１０１は、膜厚の減少傾きの値を不揮発メモリ１２２から読み出す（Ｓ１０７３）。読み出される減少傾きの値は、図２３のＳ１０６７でバックアップされた最新のものである。
【０２２７】
ステップＳ１０７２において、回転時間が所定の回転時間Ｒ１に達していない場合には（Ｓ１０７２でＮＯ）、ＣＰＵ１０１は、減少傾きとして、ステップＳ１０６７でバックアップされた値ではなく、あらかじめ用意されている固定値を用いることに決定する（Ｓ１０７４）。次にＣＰＵ１０１は、現在の感光体８１の膜厚を算出する（Ｓ１０７５）。つまりＣＰＵ１０１は、先回の膜厚算出後の画像形成の実行による膜厚の減少分を減少傾きにより求め、先回算出した膜厚からその減少分を差し引く。そしてＣＰＵ１０１は、消耗率を算出し（Ｓ１０７６）、感光体ユニット３２の寿命が到来したか否かを判断し（Ｓ１０７７）、処理を終了する。ステップＳ１０７７では、ＣＰＵ１０１は、算出された消耗率を、あらかじめ定めておいた限界値や予告値などと比較し、比較結果に応じて判断を行う。
【０２２８】
［実施の形態の効果］
【０２２９】
上述の実施の形態によれば、消耗品の種類に応じて、消耗品の寿命到来を適切に判断することができる。すなわち、寿命延長が可能な消耗品は寿命の到来の判断を可能な限り遅らせ、寿命延長にリスクのある消耗品は適切なタイミングで寿命到来と判断することで、プリントコストの削減と品質保証とをバランスよく行うことができる。その結果、消耗品の寿命到来を適切に判断することができる。
【０２３０】
第１の実施の形態によれば、模造品やリセット品が画像形成装置本体に設置された場合に、並行した寿命判断方法を採用することで、カウンターによる検知方法を実測値による検知方法によって補うことができる。その結果、カウンターによる検知方法で寿命到来を検知する前に消耗品の性能が低下した場合であっても、消耗品が寿命に到来したと判断することができ、性能が低い消耗品に起因する画質の低下を抑止することができる。
【０２３１】
第２の実施の形態によれば、リユース品が画像形成装置本体に設置された場合に、回数のみによる寿命判断方法を採用することで、不要な寿命の延長を回避することができる。その結果、不要な寿命の延長に起因する画質の低下や処理の複雑化を抑止することができる。
【０２３２】
第３の実施の形態によれば、消耗品ユニットの組のうち一方の消耗品の種類が純正品であり、他方の消耗品の種類が非純正品である場合に、純正品である一方の消耗品の寿命到来を適切に判断することができる。
【０２３３】
第４の実施の形態によれば、カウンター値が使用不能となった場合であっても、純正品である消耗品の寿命到来を適切に判断することができる。
【０２３４】
第５の実施の形態によれば、中古品が画像形成装置本体に設置された場合に、実測値のみによる寿命判断方法を採用することで、中古品の消耗品を設置する際にカウンター値の入力ミスや入力忘れが生じた場合でも、消耗品の寿命到来を適切に判断することができる。
【０２３５】
第６の実施の形態によれば、不揮発メモリに記録する情報を書き換えるだけで、市場に流通して間もない消耗品については寿命の延長を行わず、実績や性能が十分確認できた消耗品に対しては寿命の延長を行うことが可能となる。
【０２３６】
［その他］
【０２３７】
上述の実施の形態は、互いに組み合わせることが可能である。
【０２３８】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０２３９】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２４０】
１０  用紙搬送部
１１  給紙トレイ
１２  手差しトレイ
１３ａ  給紙ローラー
１３ｂ，１３ｃ  搬送ローラー
１３ｄ  排紙ローラー
１４  排紙トレイ
３０  トナー像形成部
３１，３１ａ，３１ｂ，３１ｃ，３１ｄ  現像ユニット
３２，３２ａ，３２ｂ，３２ｃ，３２ｄ  感光体ユニット
３３，３３ａ，３３ｂ，３３ｃ，３３ｄ  露光装置
３４  中間転写ベルト
３５ａ，３５ｂ，３５ｃ，３５ｄ  一次転写ローラー
３６  二次転写ローラー
３７  クリーニング装置
３８ａ，３８ｂ，３８ｃ，３８ｄ  トナーボトル
３９  回転ローラー
４０  定着装置
４１  加熱ローラー
４２  加圧ローラー
８１  感光体
８２  帯電装置
８４  イレーサー部
８５  クリーニングブレード
１００  画像形成装置
１００ａ  画像形成装置本体
１０１  ＣＰＵ（Ｃｅｎｔｒａｌ  Ｐｒｏｃｅｓｓｉｎｇ  Ｕｎｉｔ）
１０２  ＲＯＭ（Ｒｅａｄ  Ｏｎｌｙ  Ｍｅｍｏｒｙ）
１０３  ＲＡＭ（Ｒａｎｄｏｍ  Ａｃｃｅｓｓ  Ｍｅｍｏｒｙ）
１１４  スキャナー部
１１５  エンジン制御部
１１６  濃度検出センサー
１１８  高圧部
１１９  感光体駆動部
１２０  転写ベルト離間部
１２１  ＭＦＰ（Ｍｕｌｔｉｆｕｎｃｔｉｏｎ  Ｐｅｒｉｐｈｅｒａｌ）コントローラー
１２２  不揮発メモリ（不揮発記憶装置の一例）
１２３  環境センサー
１２４  操作パネル
１２５  本体側不揮発メモリ
１２６  ユニット検知部
ＭＧ  メッセージ
Ｐ  用紙
ＴＲ  搬送経路
【図１】
2018155979.tif 000003
【図２】
2018155979.tif 000004
【図３】
2018155979.tif 000005
【図４】
2018155979.tif 000006
【図５】
2018155979.tif 000007
【図６】
2018155979.tif 000008
【図７】
2018155979.tif 000009
【図８】
2018155979.tif 000010
【図９】
2018155979.tif 000011
【図１０】
2018155979.tif 000012
【図１１】
2018155979.tif 000013
【図１２】
2018155979.tif 000014
【図１３】
2018155979.tif 000015
【図１４】
2018155979.tif 000016
【図１５】
2018155979.tif 000017
【図１６】
2018155979.tif 000018
【図１７】
2018155979.tif 000019
【図１８】
2018155979.tif 000020
【図１９】
2018155979.tif 000021
【図２０】
2018155979.tif 000022
【図２１】
2018155979.tif 000023
【図２２】
2018155979.tif 000024
【図２３】
2018155979.tif 000025
【図２４】
2018155979.tif 000026